(57)【要約】      （修正有）【課題】粘着層を備えた紙を均等に安定した状態で送り、粘着層を備えた紙がローラー上に粘着して巻きつくのを防ぎ、安定した紙送り、便利でスムーズな操作を実現し、全体操作の実用性と機能性を大幅に向上させるローラーを提供する。【解決手段】ローラーは回転軸１０と筒体２０を含む。該筒体は回転軸の外径外側に結合し、筒体の外表面には、相互に連続平行する同心円を繞設するかねじ山状の接触部２１を形成し、筒体の外表面に繞設する接触部の占める面積を減少させる。繞設した接触部の一部は、線接触方式により片面に粘着層を備えた紙を回転し、その背面に印刷やその他操作工程を実施させる。これにより、均等に安定した紙送りを提供し、操作の便利性を備え、尚かつ、紙の粘着による紙づまり、印刷作業での効率低下が原因の機器損傷や作業コストの増加を防ぐことができる。【選択図】図２
0003174640.tif 000002
【実用新案登録請求の範囲】
【請求項１】
回転軸と、
回転軸の外径外側に結合し、外表面には、片面に粘着層を備えた紙を均一に送るために、相互に連続平行する状態で繞設した接触部を形成する筒体と、を含むことを特徴とするローラー。
【請求項２】
前記筒体の外表面に形成し、相互に連続平行する状態で繞設した接触部は、螺旋状に繞設した接触部であり、尚且つ接触部の断面は連続する角錐状をなして突出することを特徴とする請求項１に記載のローラー。
【請求項３】
前記筒体の外表面に形成し、相互に連続平行する状態で繞設した接触部は、複数個の等しい円で外周縁が同心円の配列をなす接触部であり、尚且つ接触部の断面は連続する角錐状をなして突出することを特徴とする請求項１に記載のローラー。
【請求項４】
前記筒体は弾性体であることを特徴とする請求項１或いは請求項２或いは請求項３に記載のローラー。
【請求項５】
前記接触部の隣接する一部間隔は調整可能であることを特徴とする請求項１或いは請求項２或いは請求項３に記載のローラー。
【考案の詳細な説明】
【技術分野】
【０００１】
本考案は、特に、回転軸と、外表面に相互に連続平行した状態で繞設する接触部を形成した筒体とを組み合わせた設計のローラーに関し、繞設した接触部が筒体の外表面を占める面積を減少させ、片面に粘着層を備えた紙を線接触方式で回転させるため、安定性、均等性を備え、迅速な紙送りを提供し、印刷操作の効率を高める等の効果を果たし、各種の粘着層を備えた紙に用いるローラー或いは類似構造に適用する。
【背景技術】
【０００２】
回転軸１０ａと筒体２０ａを含む公知のローラー（図１参照）は、筒体２０ａの外表面に不規則なエンボス加工の接触部２１ａを形成し、粘着層を備えた紙３０を従動するが、長時間使用後は、不規則なエンボス加工の接触部２１ａが磨耗されて徐々に平たくなり、元来存在したエンボス加工の接触部２１ａと粘着層の紙の接触面積が増加するため、粘着層を備えた紙を送る時、ローラー上に粘着して巻き付き、スムーズに迅速に紙送りできない問題が発生し、巻き付きを取り除くために機械を停止させなければならないこともある。これは、粘着層の紙の背面に印刷するコストを向上させるだけでなく、故障修理に余計な時間がかかるため、公知の片面に粘着層のある離型紙を備えた紙の印刷には多くの不便が生じている。よって、公知のローラーの使用には更なる改善が必要とされる。
【考案の概要】
【考案が解決しようとする課題】
【０００３】
本考案の主な目的は、次のローラーを提供することにある。ローラーの組み合わせ設計には、回転軸と、外表面に相互に連続平行する状態で繞設した接触部を形成する筒体とを含む。筒体の外表面に相互に連続平行する状態で繞設した接触部を形成し、線接触方式で粘着層を備えた紙を回転させ、筒体の外表面と紙の粘着層の接触面積を減少させることにより、粘着層を備えた紙を均等に安定した状態で送り、粘着層を備えた紙がローラー上に粘着して巻きつくのを防ぎ、安定した紙送り、便利でスムーズな操作を実現し、本考案の全体操作の実用性と機能性を大幅に向上させる。
【０００４】
本考案の次の目的は、次のローラーを提供することにある。筒体を弾性体とするため、筒体の外表面に形成した相互に連続平行する接触部と粘着層を備えた紙の接触面間に受ける力が緩衝され、筒体の外表面に繞設した連続平行する接触部の磨耗を減少させることにより、磨耗減少効果を備え、好ましい操作効率を維持する期限を延長し、本考案全体の便利性を大幅に向上させる。
【０００５】
本考案の更にもう一つの目的は、次のローラーを提供することにある。筒体の外表面に形成した相互に連続平行する接触部の設計は、一定期間使用した後、筒体の外表面に形成した相互に連続平行する接触部の表面の一部に依然として磨耗が生じたとしても、本考案の筒体の外表面に相互に連続平行する状態で繞設した同心円或いはねじ山状の接触部には相当な厚みを備えているため、実際の使用では、接触部が磨耗されて平たくなることにより粘着層を備えた紙がローラー上に粘着し巻きつく公知技術にあるような問題を発生させることがない。これにより、均等に安定した紙送りを提供し、便利な操作を実現し、作業効率を向上させ、全体の実用性及び利便性を高める。
【課題を解決するための手段】
【０００６】
上述の目的を達成するために、本考案のローラーは、回転軸と筒体とを含む。該筒体は、回転軸の外径外側に結合し、筒体の外表面には相互に連続平行する状態で繞設した同心円或いはねじ山状の接触部を形成し、片面に粘着層を備えた紙を迅速に送る。よって、本考案は、均等で安定した紙送りと、粘着して巻きつくことによる故障を減少させる等の機能を備えたものとなる。
【考案の効果】
【０００７】
本考案のローラーは、安定した紙送り、便利でスムーズな操作を実現し、本考案の全体操作の実用性と機能性を大幅に向上させる効果を備える。
【図面の簡単な説明】
【０００８】
【図１】公知の立体斜視図である。
【図２】本考案の立体斜視図である。
【図３】本考案の使用状態の断面図である。
【図４】本考案第二実施例の立体斜視図である。
【図５】本考案第二実施例の使用状態の断面図である。
【考案を実施するための形態】
【０００９】
本考案の上述及びその他の目的と長所は、次に挙げる実施例の詳細説明及び添付図面よりさらに深く理解できるであろう。
【００１０】
図２〜５に示した本考案のローラーは、回転軸１０と筒体２０を含む。筒体２０は回転軸１０の外径外側に結合し、筒体２０の外表面には、片面に粘着層を備えた紙３０を安定して従動するために、相互に連続平行する環状の接触部２１を形成する。
【００１１】
その内、筒体２０の外表面に形成した相互に連続平行する環状の接触部２１は、螺旋状に繞設した接触部２１とするか、或いは複数個の等しい円で外周縁が同心円の配列をなす接触部２１とする。螺旋状に繞設した接触部２１及び外周縁が同心円の配列をなす接触部２１の断面は連続する角錐状をなして突出し、筒体２０は弾性体である。
【００１２】
上述の構造によって構成したローラーは、図２〜図５に示すとおりである。本考案の特徴は、回転軸１０と筒体２０を組み合わせた設計にあり、しかも、筒体２０を回転軸１０の外径外側に結合し、筒体２０の外表面に相互に連続平行する環状の接触部２１を形成する。これにより、均等に安定した状態で粘着層を備えた紙３０を従動する時、筒体２０の外表面に形成した相互に連続平行する環状の接触部２１が線接触方式で片面に粘着層を備えた紙面の粘着層３１に接触するため、その接触面積を減少させ、接触面の摩擦力を平均化する。よって、効果的にフラットの安定した状態で粘着層を備えた紙３０を従動する故、粘着層を備えた紙３０がローラー上に粘着して巻きつくのを防ぎ、粘着層３１の他面の紙層３２に印刷やその他操作工程を提供できる。また、筒体２０が弾性体であるため、筒体２０の外表面に形成した相互に連続平行する環状の接触部２１と粘着層を備えた紙３０の粘着層３１との接触面間に受ける力が緩衝され、その間の磨耗を減少できる。また、一定時間使用した後は、筒体２０の外表面に形成した相互に連続平行する接触部２１の表面が磨耗されたとしても、本考案の筒体２０外表面に相互に連続平行する環状の同心円またはねじ山状の接触部２１が相当な厚みを備えているため、実際の使用では、接触部２１が磨耗されて平たくなることにより粘着層を備えた紙３０がローラー上に粘着し巻きつく公知技術にあるような問題を発生させることがない。よって、本考案は均等に安定した紙送りを提供することができ、操作は便利で、作業効率を向上させ、全体の実用性及び便利性を高めることができる。また、本考案のローラーは、粘着層３１の粘着度の差異に応じて、筒体２０外表面に設けた相互に連続平行して繞設する同心円またはねじ山状の接触部２１の隣接する一部間隔を調整することで、本考案のローラーを均一に安定させた紙送りを行わせる機能を強化することができる。
【符号の説明】
【００１３】
１０  回転軸
２０  筒体
２１  接触部
３０  粘着層を備えた紙
３１  粘着層
３２  紙層
１０ａ  回転軸
２０ａ  筒体
２１ａ  接触部
【図１】
0003174640.tif 000003
【図２】
0003174640.tif 000004
【図３】
0003174640.tif 000005
【図４】
0003174640.tif 000006
【図５】
0003174640.tif 000007